【手続補正書】
【提出日】平成28年1月8日(2016.1.8)
【手続補正１】
【補正対象書類名】特許請求の範囲
【補正対象項目名】全文
【補正方法】変更
【補正の内容】
【特許請求の範囲】
【請求項１】
装置であって、
少なくとも１つの誘導子を共有する方向性結合器とインピーダンスマッチング回路とを備える出力回路を備える、装置。
【請求項２】
少なくとも１つの電力増幅器及び前記出力回路に結合されたスイッチプレクサをさらに備える請求項１に記載の装置。
【請求項３】
前記出力回路は、前記スイッチプレクサとアンテナとの間に結合される請求項２に記載の装置。
【請求項４】
前記出力回路は、
入力無線周波数（ＲＦ）信号を受信する第１のポートと、
出力ＲＦ信号を提供する第２のポートと、
前記入力ＲＦ信号の一部分を備える結合されたＲＦ信号を提供する第３のポートと、を備える請求項１に記載の装置。
【請求項５】
前記出力回路は、
前記第２のポートを介して受信された反射されたＲＦ信号を提供する第４のポートをさらに備える請求項４に記載の装置。
【請求項６】
前記出力回路は、第１のポートから見たときに誘導性となる請求項４に記載の装置。
【請求項７】
前記出力回路は、前記出力回路の前記第２のポートに結合されたアンテナをインピーダンスマッチングする請求項４に記載の装置。
【請求項８】
前記出力回路は、
前記出力回路の第１のポートと第２のポートとの間に結合された第１の誘導子であって、前記方向性結合器及び前記インピーダンスマッチング回路によって共有される前記少なくとも１つの誘導子のうちの１つである前記第１の誘導子と、
前記出力回路の第３のポートに結合され、前記第１の誘導子に磁気的に結合される第２の誘導子と、を備える請求項１に記載の装置。
【請求項９】
前記出力回路は、
前記第１の誘導子の第１の端子と前記第２の誘導子の第１の端子との間に結合された第１のコンデンサと、
前記第１の誘導子の第２の端子と前記第２の誘導子の第２の端子との間に結合された第２のコンデンサと、または、
前記第１の誘導子の少なくとも１つの端子又は前記第２の誘導子の少なくとも１つの端子と回路アースとの間に結合された少なくとも１つのコンデンサをさらに備える、前記出力回路、または、
前記第２の誘導子の端子と回路アースとの間に結合された抵抗器をさらに備える、前記出力回路、をさらに備える請求項８に記載の装置。
【請求項１０】
前記出力回路は、
インピーダンスマッチングを調整するための少なくとも１つの調整可能なコンデンサと、望ましくは、
第１及び第２の誘導子は、集積回路又は回路基板の２つの層上に積み重ねられるか又は前記集積回路又は前記回路基板の単一層上に横に並べて形成される、
を備える請求項１に記載の装置。
【請求項１１】
前記出力回路に結合された第２の出力回路と、前記第２の出力回路は、少なくとも１つの追加の誘導子を共有する第２の方向性結合器と第２のインピーダンスマッチング回路とを備え、望ましくは、
前記出力回路は、スイッチプレクサに結合された第１のポートと、アンテナに結合された第２のポートとを備え、前記第２の出力回路は、第２のスイッチプレクサに結合された第１のポートと、前記出力回路の前記第１のポートに結合された第２のポートとを備え、さらに望ましくは、
前記スイッチプレクサ及び前記出力回路は、高帯域に関するものであり、前記第２のスイッチプレクサ及び前記第２の出力回路は、低帯域に関するものである、
をさらに備える請求項１に記載の装置。
【請求項１２】
方法であって、
インピーダンスマッチング及び方向性結合の両方のために使用される少なくとも１つの誘導子を備える出力回路と負荷のインピーダンスをマッチングさせることと、
入力無線周波数（ＲＦ）信号を出力ＲＦ信号として提供するために及び前記入力ＲＦ信号の一部分を結合されたＲＦ信号として結合するために前記入力ＲＦ信号を前記出力回路と方向性結合することと、を備える、方法。
【請求項１３】
前記出力回路に結合された負荷から受信された反射されたＲＦ信号を提供することをさらに備える請求項１２に記載の方法。
【請求項１４】
前記インピーダンスを前記マッチングすることは、直列に結合された前記出力回路及び第２の出力回路の両方と前記負荷の前記インピーダンスをマッチングさせることを備える請求項１２に記載の方法。
【請求項１５】
前記インピーダンスマッチング回路は、負荷のインピーダンスをマッチングするための手段を備え、
前記方向性結合器は、入力無線周波数（ＲＦ）信号を出力ＲＦ信号として提供するために及び前記入力ＲＦ信号の一部分を結合されたＲＦ信号として結合するために前記入力ＲＦ信号を方向性結合するための手段と、インピーダンスをマッチングするための前記手段と、前記少なくとも１つの誘導子を共有する方向性結合のための前記手段とを備える、請求項１に記載の装置。
【手続補正２】
【補正対象書類名】明細書
【補正対象項目名】００６７
【補正方法】変更
【補正の内容】
【００６７】
本開示に関する前の説明は、当業者が本開示を製造又は使用することを可能にするために提供される。本開示に対する様々な修正は、当業者にとって容易に明確になるであろう、及びここにおいて定められる一般原理は、本開示の適用範囲を逸脱せずにその他の変形に対しても適用することができる。以上のように、本開示は、ここにおいて説明される例及び設計に限定されることが意図されるものではなく、ここにおいて開示される原理及び新規の特徴に一致する限りにおいて最も広範な適用範囲が認められるべきである。
以下に、本願出願の当初の特許請求の範囲に記載された発明を付記する。
［Ｃ１］
装置であって、
少なくとも１つの誘導子を共有する方向性結合器とインピーダンスマッチング回路とを備える出力回路を備える、装置。
［Ｃ２］
少なくとも１つの電力増幅器及び前記出力回路に結合されたスイッチプレクサをさらに備えるＣ１に記載の装置。
［Ｃ３］
前記出力回路は、前記スイッチプレクサとアンテナとの間に結合されるＣ２に記載の装置。
［Ｃ４］
前記出力回路は、
入力無線周波数（ＲＦ）信号を受信する第１のポートと、
出力ＲＦ信号を提供する第２のポートと、
前記入力ＲＦ信号の一部分を備える結合されたＲＦ信号を提供する第３のポートと、を備えるＣ１に記載の装置。
［Ｃ５］
前記出力回路は、
前記第２のポートを介して受信された反射されたＲＦ信号を提供する第４のポートをさらに備えるＣ４に記載の装置。
［Ｃ６］
前記出力回路は、第１のポートから見たときに誘導性となるＣ４に記載の装置。
［Ｃ７］
前記出力回路は、前記出力回路の前記第２のポートに結合されたアンテナをインピーダンスマッチングするＣ４に記載の装置。
［Ｃ８］
前記出力回路は、
前記出力回路の第１のポートと第２のポートとの間に結合された第１の誘導子であって、前記方向性結合器及び前記インピーダンスマッチング回路によって共有される前記少なくとも１つの誘導子のうちの１つである第１の誘導子と、
前記出力回路の第３のポートに結合され、前記第１の誘導子に磁気的に結合される第２の誘導子と、を備えるＣ１に記載の装置。
［Ｃ９］
前記出力回路は、
前記第１の誘導子の第１の端子と前記第２の誘導子の第１の端子との間に結合された第１のコンデンサと、
前記第１の誘導子の第２の端子と前記第２の誘導子の第２の端子との間に結合された第２のコンデンサと、をさらに備えるＣ８に記載の装置。
［Ｃ１０］
前記出力回路は、
前記第１の誘導子の少なくとも１つの端子又は前記第２の誘導子の少なくとも１つの端子と回路アースとの間に結合された少なくとも１つのコンデンサをさらに備えるＣ８に記載の装置。
［Ｃ１１］
前記出力回路は、
前記第２の誘導子の端子と回路アースとの間に結合された抵抗器をさらに備えるＣ８に記載の装置。
［Ｃ１２］
前記出力回路は、
インピーダンスマッチングを調整するための少なくとも１つの調整可能なコンデンサをさらに備えるＣ１に記載の装置。
［Ｃ１３］
前記第１及び第２の誘導子は、集積回路又は回路基板の２つの層上に積み重ねられるか又は前記集積回路又は前記回路基板の単一層上に横に並べて形成されるＣ８に記載の装置。
［Ｃ１４］
前記出力回路に結合された第２の出力回路をさらに備え、前記第２の出力回路は、少なくとも１つの追加の誘導子を共有する第２の方向性結合器と第２のインピーダンスマッチング回路とを備えるＣ１に記載の装置。
［Ｃ１５］
前記出力回路は、スイッチプレクサに結合された第１のポートと、アンテナに結合された第２のポートとを備え、前記第２の出力回路は、第２のスイッチプレクサに結合された第１のポートと、前記出力回路の前記第１のポートに結合された第２のポートと、を備えるＣ１４に記載の装置。
［Ｃ１６］
前記スイッチプレクサ及び前記出力回路は、高帯域に関するものであり、前記第２のスイッチプレクサ及び前記第２の出力回路は、低帯域に関するものであるＣ１５に記載の装置。
［Ｃ１７］
方法であって、
インピーダンスマッチング及び方向性結合の両方のために使用される少なくとも１つの誘導子を備える出力回路と負荷のインピーダンスをマッチングさせることと、
入力無線周波数（ＲＦ）信号を出力ＲＦ信号として提供するために及び前記入力ＲＦ信号の一部分を結合されたＲＦ信号として結合するために前記入力ＲＦ信号を前記出力回路と方向性結合することと、を備える、方法。
［Ｃ１８］
前記出力回路に結合された負荷から受信された反射されたＲＦ信号を提供することをさらに備えるＣ１７に記載の方法。
［Ｃ１９］
前記インピーダンスを前記マッチングすることは、直列に結合された前記出力回路及び第２の出力回路の両方と前記負荷の前記インピーダンスをマッチングさせることを備えるＣ１７に記載の方法。
［Ｃ２０］
装置であって、
負荷のインピーダンスをマッチングするための手段と、
入力無線周波数（ＲＦ）信号を出力ＲＦ信号として提供するために及び前記入力ＲＦ信号の一部分を結合されたＲＦ信号として結合するために前記入力ＲＦ信号を方向性結合するための手段であって、インピーダンスをマッチングするための手段と、少なくとも１つの誘導子を共有する方向性結合のための手段と、を備える、装置。